(57)【要約】【課題】  多様な設置状況を選択可能であるとともに、収納状態の容量が小さい。【解決手段】  ゴミ収納装置は、上端に開口（１０１０）を有する角筒状フレーム（１０００）と、開口を塞ぐ蓋（４０００）とを有する。  角筒状フレームは、前面フレーム（１０２０）、後面フレーム（１０３０）、右側面フレーム（１０４０）、左側面フレーム（１０５０）によって前後面および右左の側面が構成され、これらフレームにはネット７０００が張られて、ゴミ袋等の内容物を被包し得る。右側面フレームおよび左側面フレームは折畳み可能であり、角筒状フレームは前後方向に伸縮可能である。これによって、その容量を充分小さくでき、コンパクトな収納が可能である。 【選択図】        図１
2009113883.tif 000002
【特許請求の範囲】
【請求項１】
（上位概念）  展開状態で上端に開口を有し、折畳み可能な角筒状フレームと、
前記角筒状フレームを展開状態で保持する展開保持手段と、
前記角筒状フレームを折畳状態で保持する折畳保持手段と、
前記展開状態の前記角筒状フレームの上端開口を塞ぐ蓋と、
を備え、
設置面上に設置される、ゴミ収納装置。
【請求項２】
（実施例１）  前記角筒状フレームは、
前面フレームと、
後面フレームと、
前記前面フレームの右端と、後面フレームの右端とを連結する右側面フレームであって、上下方向の右枢軸によって、外面が合掌するように折畳み可能な右側面フレームと、
前記前面フレームの左端と、後面フレームの左端とを連結する左側面フレームであって、上下方向の左枢軸によって、外面が合掌するように折畳み可能な左側面フレームと、
を備え、
前記展開保持手段は、
前記右枢軸に取付けられ、前記右側面フレームを展開する方向に付勢する右付勢手段と、
前記左枢軸に取付けられ、前記左側面フレームを展開する方向に付勢する左付勢手段と、
を備え、
前記蓋は、
前記後面フレームに上下回転可能に取り付けられ、折畳み状態の前記右側面フレームおよび前記左側面フレームの上面サイズと略同サイズの、蓋基部と、
前記蓋基部に上下回転可能に取り付けられた蓋先端部と、
を備え、
前記折畳保持手段は、前記蓋先端部によって構成され、前記蓋先端部が前記前面フレームの前面に垂下することによって、その自重で、前記右側面フレーム、左側面フレームの展開を阻止する、
請求項１記載のゴミ収納装置。
【請求項３】
（実施例２）  前記角筒状フレームは、
後面フレームと、
上下方向伸縮可能な前面フレームと、
基端部が、前記後面フレームによって上下方向回転可能に支持され、先端部が、前記前面フレームの下端部に上下方向回転可能に取り付けられた下回転リンクと、
を備え、
前記展開保持手段は、
基端部が、前記後面フレームに上下方向回転可能に取り付けられ、先端部が、前記前面フレームの上端部に上下方向回転可能に取り付けられた上回転リンクと、
前記上回転リンクを、前記後面フレームに対して固定して略水平状態に保持する、固定手段と、
を備え、
前記折畳保持手段は、前記上回転リンクを上方向に跳ね上げて、前記前面フレームを前記後面フレーム方向に引き寄せる付勢手段を、
備えた、
請求項１記載のゴミ収納装置。
【請求項４】
（実施例３）  前記角筒状フレームは、
後面フレームと、
前面フレームと、
前記前面フレームの右端に回転可能に連結され、かつ前記後面フレームの右端に回転可能に連結され、これによって前記前面フレームと前記後面フレームとの右端を連結する右側面フレームと、
前記前面フレームの左端に回転可能に連結され、かつ前記後面フレームの左端に回転可能に連結され、これによって前記前面フレームと前記後面フレームとの左端を連結する左側面フレームと、
前記後面フレーム、前記前面フレーム、前記右側面フレームおよび前記左側面フレームの下端部に連結された底面パネルであって、左右方向に並列された前後方向相対摺動可能な複数のスライドプレートと、前記底面パネルを設置面に対して移動可能とする転動手段と、を備えた底面パネルと、
を備え、
前記展開保持手段および前記折畳保持手段は、前記角筒状フレームを前記設置面に対して固定する固定手段を備える、
請求項１記載のゴミ収納装置。
【請求項５】
（実施例４）  前記角筒状フレームは、
後面フレームと、
上下方向伸縮可能な前面フレームと、
基端部が、前記後面フレームによって上下方向摺動可能に支持され、先端部が、前記前面フレームの上端部に上下方向回転可能に取り付けられ、中央部が、上下方向折曲可能な折曲リンクと、
基端部が、前記後面フレームの下端部に上下方向回転可能に取り付けられ、先端部が、前記折曲リンクの先端部に上下方向回転可能に取り付けられた上リンクと、
基端部が、前記折曲リンクの基端部に上下方向回転可能に取り付けられ、先端部が、前記前面フレームの下端部に上下方向回転可能に取り付けられた下リンクと、
を備え、
前記展開保持手段は、前記前面フレームを収縮させるように付勢する付勢手段を備えた、
請求項１記載のゴミ収納装置。
【請求項６】
（実施例５）  前記角筒状フレームは、
後面フレームと、
前面フレームと、
基端部が、前記後面フレームによって上下方向回転可能に取り付けられ、先端部が、前記前面フレームの上端部に上下方向回転可能に取り付けられ、中央部が、下方向折曲可能な上折曲リンクと、
基端部が、前記後面フレームの下端部に上下方向回転可能に取り付けられ、先端部が、前記前面フレームの下端部に上下方向回転可能に取り付けられ、中央部が、上方向折曲可能な下折曲リンクと、
を備え、
前記展開保持手段は、前記上折曲リンクの中央部と、前記下折曲リンクの中央部とを相互に接近させる方向に付勢する付勢手段を備え、
前記折畳保持手段は、前記前面フレームと前記後面フレームとを連結する連結手段を備えた、
請求項１記載のゴミ収納装置。
【請求項７】
（実施例６）  前記角筒状フレームは、
設置面に設置されて略上下に延びる設置ポールと、
前記設置ポールの側面に、斜上方に伸びる角度から上方に回転し得るように、取り付けられた第１ロッドと、
前記設置ポール周囲で、前記第１ロッドに対して略９０度回転した位置で、斜上方に伸びる角度から上方に回転し得るように、前記設置ポールの側面に取り付けられた第２ロッドと、
前記設置ポール周囲で、前記第１ロッド、第２ロッドの中間の位置で、水平に伸びる角度から上方に回転し得るように、基端部が、前記設置ポールの下端部側面に取り付けられた第３ロッドと、
前記第３ロッドの先端部に、水平状態の前記第３ロッドの先端部から略上方に延びる角度から、前記設置ロッド方向に向かう角度まで、回転可能に取り付けられた縦支持ロッドと、
を備え、
前記展開保持手段は、前記第１ロッドおよび前記第２ロッドを、斜上方に延びた状態に保持し、前記第３ロッドを水平に延びる状態に保持し、前記縦支持ロッドを上下に延びる状態で保持する保持手段を備え、
前記折畳保持手段は、前記第１ロッド、前記第２ロッドおよび前記第３ロッドを、前記設置ロッドに沿って延びる状態に保持し、前記縦支持ロッドを前記第３ロッドに沿うように保持する保持手段を備えた、
請求項１記載のゴミ収納装置。
【請求項８】
（実施例７）  前記角筒状フレームは、
前記角筒状フレームの上端開口に沿う上フレームと、
前記角筒状フレームの下端外周に沿う下フレームと、
を備え、
前記展開保持手段は、前記角筒状フレームの対抗側面の対角線に沿って反対方向に延びつつ、下フレームの角部と上フレームの角部とを連結し、前記下フレームに対して前記上フレームを弾性的に保持する弾性支持手段を備え、
前記折畳保持手段は、前記上フレームを前記開口周囲方向に略１８０度回転して、前記下フレームに略密着させた状態で、前記上フレームと前記下フレームとを連結保持する保持手段を備えた、
請求項１記載のゴミ収納装置。
【請求項９】
（実施例８）  前記角筒状フレームは、
前記角筒状フレームの右側面に沿って配置され、上下方向伸縮可能な右パンタグラフと、
前記角筒状フレームの左側面に沿って配置され、上下方向伸縮可能な左パンタグラフと、
前記右パンタグラフと、前記左パンタグラフとを相互に連結する水平ロッドと、
を備え、
前記展開保持手段は、前記右パンタグラフおよび前記左パンタグラフを上方に伸長するように付勢する付勢手段を備えた、
請求項１記載のゴミ収納装置。
【発明の詳細な説明】
【技術分野】
【０００１】
本発明は、屋外設置可能なゴミ収納装置に関する。
【背景技術】
【０００２】
ゴミ集積所に集積されたゴミ袋がカラスに荒らされる被害が続出しており、ゴミ袋全体をネットで覆う対策がとられることが多い。しかし、ネットではゴミ袋を保持することはできないため、ゴミ袋個数、容量が増大すると集積面積が拡大し、交通の妨げになる等の問題があった。
【０００３】
そこで、ゴミ収納装置として以下が提案されている。
（１）特許文献１には、地中に強固に固定した背面支柱（２）によって背面枠（１）を支持し、背面枠（１）に上下方向揺動可能な回動枠（１７、１７ａ、１７ｂ）を取り付け、回動枠（１７、１７ａ、１７ｂ）に前面枠（６）を取り付けた折りたたみ式ゴミ箱が開示されている。
【０００４】
（２）特許文献２には、背面板（３）に、屋根板（１）および側面板（５）を蝶番等で連結して、前方に開いた箱を形成し、この箱に対してマグネット等によって、ネット（１４）および前部板（６）を取り付けるゴミ箱が開示されている。
【特許文献１】特開２００７−１５８５６号公報
【特許文献２】特開２００４−３１５２２２号公報
【発明の開示】
【発明が解決しようとする課題】
【０００５】
特許文献１のゴミ箱は、地中に強固に固定される必要があるためその設置場所が限定される。一方、特許文献２のゴミ箱は、背面板、屋根板、側面板、前部板の板状部材を組合せて構成されるため、収納状態の容量が比較的大である。
【０００６】
本発明はこのような従来の問題点を解消すべく創案されたもので、多様な設置状況を選択可能であるとともに、収納状態の容量が小さいゴミ収納装置を提供することを目的とする。
【課題を解決するための手段】
【０００７】
本発明に係るゴミ収納装置は、展開状態で上端に開口を有し、折畳み可能な角筒状フレームと、前記角筒状フレームを展開状態で保持する展開保持手段と、前記角筒状フレームを折畳状態で保持する折畳保持手段と、前記展開状態の前記角筒状フレームの上端開口を塞ぐ蓋とを備え、設置面上に設置される。
【０００８】
これによって、多様な設置状況を選択可能であるとともに、収納状態の容量が小さい。
【０００９】
本発明に係るゴミ収納装置において、例えば、前記角筒状フレームは、前面フレームと、後面フレームと、前記前面フレームの右端と、後面フレームの右端とを連結する右側面フレームであって、上下方向の右枢軸によって、外面が合掌するように折畳み可能な右側面フレームと、前記前面フレームの左端と、後面フレームの左端とを連結する左側面フレームであって、上下方向の左枢軸によって、外面が合掌するように折畳み可能な左側面フレームとを備え、前記展開保持手段は、前記右枢軸に取付けられ、前記右側面フレームを展開する方向に付勢する右付勢手段と、前記左枢軸に取付けられ、前記左側面フレームを展開する方向に付勢する左付勢手段とを備え、前記蓋は、前記後面フレームに上下回転可能に取り付けられ、折畳み状態の前記右側面フレームおよび前記左側面フレームの上面サイズと略同サイズの、蓋基部と、前記蓋基部に上下回転可能に取り付けられた蓋先端部とを備え、前記折畳保持手段は、前記蓋先端部によって構成され、前記蓋先端部が前記前面フレームの前面に垂下することによって、その自重で、前記右側面フレーム、左側面フレームの展開を阻止する。
【００１０】
本発明に係るゴミ収納装置において、例えば、前記角筒状フレームは、後面フレームと、上下方向伸縮可能な前面フレームと、基端部が、前記後面フレームによって上下方向回転可能に支持され、先端部が、前記前面フレームの下端部に上下方向回転可能に取り付けられた下回転リンクとを備え、前記展開保持手段は、基端部が、前記後面フレームに上下方向回転可能に取り付けられ、先端部が、前記前面フレームの上端部に上下方向回転可能に取り付けられた上回転リンクと、前記上回転リンクを、前記後面フレームに対して固定して略水平状態に保持する、固定手段とを備え、前記折畳保持手段は、前記上回転リンクを上方向に跳ね上げて、前記前面フレームを前記後面フレーム方向に引き寄せる付勢手段を備える。
【００１１】
本発明に係るゴミ収納装置において、例えば、前記角筒状フレームは、後面フレームと、前面フレームと、前記前面フレームの右端に回転可能に連結され、かつ前記後面フレームの右端に回転可能に連結され、これによって前記前面フレームと前記後面フレームとの右端を連結する右側面フレームと、前記前面フレームの左端に回転可能に連結され、かつ前記後面フレームの左端に回転可能に連結され、これによって前記前面フレームと前記後面フレームとの左端を連結する左側面フレームと、前記後面フレーム、前記前面フレーム、前記右側面フレームおよび前記左側面フレームの下端部に連結された底面フレームであって、左右方向に並列された前後方向相対摺動可能な複数のスライドプレートと、前記底面フレームを設置面に対して移動可能とする転動手段と、を備えた底面プレートとを備え、前記展開保持手段および前記折畳保持手段は、前記角筒状フレームを前記設置面に対して固定する固定手段を備える。
【００１２】
本発明に係るゴミ収納装置において、例えば、前記角筒状フレームは、後面フレームと、上下方向伸縮可能な前面フレームと、基端部が、前記後面フレームによって上下方向摺動可能に支持され、先端部が、前記前面フレームの上端部に上下方向回転可能に取り付けられ、中央部が、上下方向折曲可能な折曲リンクと、基端部が、前記後面フレームの下端部に上下方向回転可能に取り付けられ、先端部が、前記折曲リンクの先端部に上下方向回転可能に取り付けられた上リンクと、基端部が、前記折曲リンクの基端部に上下方向回転可能に取り付けられ、先端部が、前記前面フレームの下端部に上下方向回転可能に取り付けられた下リンクとを備え、前記展開保持手段は、前記前面フレームを収縮させるように付勢する付勢手段を備える。
【００１３】
本発明に係るゴミ収納装置において、例えば、前記角筒状フレームは、後面フレームと、前面フレームと、基端部が、前記後面フレームによって上下方向回転可能に取り付けられ、先端部が、前記前面フレームの上端部に上下方向回転可能に取り付けられ、中央部が、下方向折曲可能な上折曲リンクと、基端部が、前記後面フレームの下端部に上下方向回転可能に取り付けられ、先端部が、前記前面フレームの下端部に上下方向回転可能に取り付けられ、中央部が、上方向折曲可能な下折曲リンクとを備え、前記展開保持手段は、前記上折曲リンクの中央部と、前記下折曲リンクの中央部とを相互に接近させる方向に付勢する付勢手段を備え、前記折畳保持手段は、前記前面フレームと前記後面フレームとを連結する連結手段を備える。
【００１４】
本発明に係るゴミ収納装置において、例えば、前記角筒状フレームは、設置面に設置されて略上下に延びる設置ポールと、前記設置ポールの側面に、斜上方に伸びる角度から上方に回転し得るように、取り付けられた第１ロッドと、前記設置ポール周囲で、前記第１ロッドに対して略９０度回転した位置で、斜上方に伸びる角度から上方に回転し得るように、前記設置ポールの側面に取り付けられた第２ロッドと、前記設置ポール周囲で、前記第１ロッド、第２ロッドの中間の位置で、水平に伸びる角度から上方に回転し得るように、基端部が、前記設置ポールの下端部側面に取り付けられた第３ロッドと、前記第３ロッドの先端部に、水平状態の前記第３ロッドの先端部から略上方に延びる角度から、前記設置ロッド方向に向かう角度まで、回転可能に取り付けられた縦支持ロッドとを備え、前記展開保持手段は、前記第１ロッドおよび前記第２ロッドを、斜上方に延びた状態に保持し、前記第３ロッドを水平に延びる状態に保持し、前記縦支持ロッドを上下に延びる状態で保持する保持手段を備え、前記折畳保持手段は、前記第１ロッド、前記第２ロッドおよび前記第３ロッドを、前記設置ロッドに沿って延びる状態に保持し、前記縦支持ロッドを前記第３ロッドに沿うように保持する保持手段を備える。
【００１５】
本発明に係るゴミ収納装置において、例えば、前記角筒状フレームは、前記角筒状フレームの上端開口に沿う上フレームと、前記角筒状フレームの下端外周に沿う下フレームと、を備え、前記展開保持手段は、前記角筒状フレームの対抗側面の対角線に沿って反対方向に延びつつ、下フレームの角部と上フレームの角部とを連結し、前記下フレームに対して前記上フレームを弾性的に保持する弾性支持手段を備え、前記折畳保持手段は、前記上フレームを前記開口周囲方向に略１８０度回転して、前記下フレームに略密着させた状態で、前記上フレームと前記下フレームとを連結保持する保持手段を備える。
【００１６】
本発明に係るゴミ収納装置において、例えば、前記角筒状フレームは、前記角筒状フレームの右側面に沿って配置され、上下方向伸縮可能な右パンタグラフと、前記角筒状フレームの左側面に沿って配置され、上下方向伸縮可能な左パンタグラフと、前記右パンタグラフと、前記左パンタグラフとを相互に連結する水平ロッドとを備え、前記展開保持手段は、前記右パンタグラフおよび前記左パンタグラフを上方に伸長するように付勢する付勢手段を備える。
【発明の効果】
【００１７】
本発明によれば、多様な設置状況を選択可能であるとともに、収納状態の容量が小さくなる。
【発明を実施するための最良の形態】
【００１８】
【実施例１】
【００１９】
次に本発明に係るゴミ収納装置の実施例１を図面に基づいて説明する。
図１は、本発明に係るゴミ収納装置の実施例１を示す正面図、図２は、図１のゴミ収納装置の斜視図、図３は、図１のゴミ収納装置の蓋を閉じた状態を示す正面図、図４は、図３のゴミ収納装置の右側面図、図５は、図１のゴミ収納装置を畳んだ状態を示す側面図、図６は、図３のゴミ収納装置の左側面図である。
【００２０】
図１〜図６において、ゴミ収納装置は、上端に開口１０１０を有する角筒状フレーム１０００と、開口１０１０を塞ぐ蓋４０００とを有する。これによって、ゴミ収納装置内にゴミ袋（図示省略）等を収納したときに、これら収容物を密封することができ、カラス等の被害を防止し得る。なお図中４０４４は蓋４０００開閉時に指をかける指掛孔である。
【００２１】
角筒状フレーム１０００は、前面フレーム１０２０、後面フレーム１０３０、右側面フレーム１０４０、左側面フレーム１０５０によって前後面および右左の側面が構成され、これらフレーム１０２０、１０３０，１０４０、１０５０にはネット７０００が張られて、ゴミ袋等の内容物を被包し得る。右側面フレーム１０４０は、上下方向の右枢軸１０４２によって外面１０４４が合掌するように折畳み可能である。左側面フレーム１０５０は、上下方向の左枢軸１０５２によって外面１０５４が合掌するように折畳み可能である。これによって、角筒状フレーム１０００は前後方向に伸縮可能であり、前面フレーム１０２０を後面フレーム１０３０に密着させるように（図１１）折り畳むと、その容量を充分小さくでき、コンパクトな収納が可能である。
【００２２】
右枢軸１０４２、左枢軸１０５２には、ねじりコイルバネ２０２０（右付勢手段）、２０４０（左付勢手段）が巻回され、これら付勢手段は、右側面フレーム１０４０、左側面フレーム１０５０を展開（図７〜図１０の状態）する方向に、これらフレーム１０４０、１０５０を付勢する。これによって、角筒状フレーム１０００の展開状態が保持され、付勢手段２０２０、２０４０は展開保持手段２０００として機能する。
【００２３】
ゴミ収納装置は展開保持手段２０００によって常時展開方向に付勢されているので、展開時にはわずかの力で展開することが可能である。また展開状態は、展開保持手段２０００によって自動的に保持されるので、展開保持のための別段の操作は不要である。またその設置場所は任意選択可能である。
【００２４】
蓋４０００は、後面フレーム１０３０に上下回転可能に取り付けられた蓋基部４０２０と、蓋基部４０２０の先端部に上下回転可能に取り付けられた蓋先端部４０４０とを備え、蓋基部４０２０および蓋先端部４０４０にはネット７０００が張られ、内容物を被包し得る。蓋基部４０２０は、折畳み状態のフレーム１０４０、１０５０の上面サイズと略同サイズであり、図１１に示すように、折り畳み状態で蓋４０００をフレーム１０４０、１０５０上に被せると、蓋先端部４０４０は前面フレーム１０２０の前面に沿って垂下し、その自重で、前記右側面フレーム、左側面フレームの展開を阻止する。これによって、蓋４０００は、角筒状フレーム１０００を折り畳み状態で保持する折畳保持手段３０００として機能することになる。
【００２５】
ゴミ収納装置は、蓋（折畳保持手段３０００）を筒状フレーム１０００に被せるように操作するだけで、折畳状態が保持され、その操作は簡便である。
【００２６】
以上のとおり、実施例１は、多様な設置状況を選択可能であるとともに、収納状態の容量が小さい。
【実施例２】
【００２７】
次に本発明に係るゴミ収納装置の実施例２を図面に基づいて説明する。実施例１は、ゴミ収納装置を前後方向伸縮可能としたが、実施例２は跳ね上げ、収縮可能としている。
【００２８】
図７は、本発明に係るゴミ収納装置の実施例２を示す正面図、図８は、図７のゴミ収納装置の右側面図、図９は、図７のゴミ収納装置の蓋を開いた状態を示す正面図、図１０は、図９のゴミ収納装置の右側面図、図１１は、図７のゴミ収納装置を畳んだ状態を示す正面図、図１２は、図１１のゴミ収納装置の右側面図である。図中、実施例１と同一もしくは相当部分には同一符号を付し、説明を省略する。
【００２９】
図７〜図１２において、ゴミ収納装置における角筒状フレーム１０００は、後面フレーム１０３０と、上下方向伸縮可能な前面フレーム１０２０とを備え、前面フレーム１０２０の下端部は、下回転リンク１０６０によって支持されている。
【００３０】
下回転リンク１０６０は、基端部１０６２が、後面フレーム１０３０によって上下方向回転可能に支持され、先端部１０６４が、前面フレーム１０２０の下端部に上下方向回転可能に取り付けられている。
【００３１】
実施例２では、展開保持手段２０００として上回転リンク２０６０が設けられ、上回転リンク２０６０は、基端部２０６２が、前記後面フレームに上下方向回転可能に取り付けられ、先端部２０６４が、前面フレーム１０２０の上端部に上下方向回転可能に取り付けられている。上回転リンク２０６０は、ピン（固定手段）５０００によって後面フレーム１０３０に対して固定可能であり、この固定によって略水平状態に保持され、角筒状フレーム１０００の展開状態が保持される。
【００３２】
前記上回転リンク２０６０の基端部２０６２には、基端部２０６２を弾性的に下方に引っ張る引張コイルバネ（付勢手段）３０２０が連結され、ピン５０００が抜かれたときに、上回転リンク２０６０は先端部２０６４が上方に跳ね上げられる。これによって、前記前面フレーム１０２０は後面フレーム１０３０方向に引き寄せられ、角筒状フレーム１０００は自動的にコンパクトな収納状態となる。展開に際しては、引張コイルバネ（付勢手段）３０２０に抗して上回転リンク２０６０または前面フレーム１０２０を操作することになるが、展開方向は下方向であるので、操作者の体重をかける等によって、わずかな力で展開し得る。
【００３３】
跳ね上げ状態では、上回転リンク２０６０および下回転リンク１０６０は上方に回転するが、そのときの先端部２０６４、１０６４の距離は水平状態状態よりも拡がることになる。この先端部２０６４、１０６４の距離変化に対応するため、前面フレーム１０２０は伸縮可能となっている。
【００３４】
前面フレーム１０２０を伸縮可能とするために、伸縮可能前面フレーム１０２０は、上フレーム１０２５と下フレーム１０２６とを相互摺動可能に連結してなる。上フレーム１０２５には下フレーム１０２６の摺動範囲を設定する溝１０２７が形成されて、下フレーム１０２６には溝１０２７に係合するピン１０２８が取り付けられている。
【００３５】
さらに、後面フレーム１０３０は上方に延長され、その延長部分には掲示版６０００が設けられている。これによって、ゴミ収納装置を掲示施設に兼用あるいは転用でき、利便性が高い。掲示版６０００の充分な大きさを確保するとともに、この大きな掲示板を安定に支持するために、筒状フレーム１０００の底面に底面基板６０２０が設けられ、底面基板６０２０と後面プレート１０３０は筋交６０４０によって補強されている。
【００３６】
以上のとおり、実施例２は、実施例１と同様の効果を奏する。
【実施例３】
【００３７】
次に本発明に係るゴミ収納装置の実施例３を図面に基づいて説明する。実施例３は、ゴミ収納装置を水平方向に扁平に変形して、容積を収縮する。
【００３８】
図１３は、本発明に係るゴミ収納装置の実施例３を示す正面図、図１４は、図１３のゴミ収納装置の平面図、図１５は、図１３のゴミ収納装置の右側面図、図１６は、図１３のゴミ収納装置を畳んだ状態を示す正面図、図１７は、図１６の畳んだ状態を示す平面図、図１８は、図１３のゴミ収納装置における底面パネルの連結状態を示す斜視図である。図中、実施例１、２と同一もしくは相当部分には同一符号を付し、説明を省略する。
【００３９】
図１３〜図１８において、ゴミ収納装置における角筒状フレーム１０００は、後面フレーム１０３０、前面フレーム１０２０、右側面フレーム１０４０および左側面フレーム１０５０を有し、右側面フレーム１０４０および左側面フレーム１０５０は、後面フレーム１０３０および前面フレーム１０２０に対して水平方向回転可能である。
【００４０】
右側面フレーム１０４０は、前面フレーム１０２０の右端に回転可能に連結され、かつ後面フレーム１０３０の右端に回転可能に連結され、これによって前面フレーム１０２０と後面フレーム１０３０との右端を、水平方向回転可能に連結する。
【００４１】
左側面フレーム１０５０は、前面フレーム１０２０の左端に回転可能に連結され、かつ後面フレーム１０３０の左端に回転可能に連結され、これによって前面フレーム１０２０と後面フレーム１０３０との左端を、水平方向回転可能に連結する。
【００４２】
さらに、後面フレーム１０３０、前面フレーム１０２０、右側面フレーム１０４０および左側面フレーム１０５０の下端部には、水平方向扁平化可能な底面フレーム１０７０が連結されている。底面プレート１０７０は、前後方向相対摺動可能な複数のスライドプレート１０７２を左右方向に複数並列、連結して構成されている。
【００４３】
これによって、角筒状フレーム１０００は水平方向に扁平化可能（図１６、図１７）、すなわち折畳状態となり、前後方向のサイズ、および容量が小さくなる。この扁平化に際して、底面フレーム１０７０の設置面Ｇとの摩擦を低減するために、所定位置のスライドプレート１０７２の底面には、キャスタ等の転動手段１０７４が設けられている。従って、扁平化の操作は小さな力で行うことができる。
【００４４】
図１８に示すように、対向するスライドプレート１０７２の一方の対向面にはＴ字状溝１０７８が形成され、他方には溝１０７８に脱落不能に係合する係合ピン１０７６が突設されている。これによって、スライドプレート１０７２は結合状態が維持され、かつ円滑に摺動し得る。
【００４５】
このように角筒状フレーム１０００は比較的容易に扁平化し得るが、使用時の展開状態を維持するため、前面フレーム１０２０の下部には、ストッパ（固定手段）５０２０が設けられている。ストッパ５０２０は、設置面Ｇに当接し、その摩擦力によって筒状フレーム１０００の変形を阻止する。ストッパ５０２０は、角筒状フレーム１０００の扁平状態において、折畳保持手段としても使用される。
【００４６】
右側面フレーム１０４０および左側面フレーム１０５０の上端部には、右蓋４０５０、左蓋４０６０がそれぞれ上下方向回転可能に取り付けられ、これによって蓋４０００が構成されている。右蓋４０５０、左蓋４０６０の先端部にはハンドル４０５２、４０６２がそれぞれ設けられ、右蓋４０５０、左蓋４０６０を容易に引き上げ得る。右蓋４０５０、左蓋４０６０は、それぞれそれ自体が水平方向に扁平化し得るように、柔軟な素材により形成されている。
【００４７】
以上のとおり、実施例３は、実施例１と同様の効果を奏する。
【実施例４】
【００４８】
次に本発明に係るゴミ収納装置の実施例４を図面に基づいて説明する。実施例４は、実施例１と同様に、ゴミ収納装置を前後方向伸縮可能として、容積を収縮する。
【００４９】
図１９は、本発明に係るゴミ収納装置の実施例４を示す正面図、図２０は、図１９のゴミ収納装置の平面図、図２１は、図１９のゴミ収納装置の右側面図、図２２は、図１９のゴミ収納装置を畳んだ状態を示す右側面図である。図中、実施例１〜３と同一もしくは相当部分には同一符号を付し、説明を省略する。
【００５０】
図１９〜図２２において、ゴミ収納装置における角筒状フレーム１０００は、実施例２同様の前面フレーム１０２０および後面フレーム１０３０を有し、前面フレーム１０２０と後面フレーム１０３０とは、その左右側面で、折曲リンク２１００、上リンク２１２０、下リンク２１４０によって連結されている。
【００５１】
折曲リンク２１００は、後面フレーム１０３０によって上下方向摺動可能に支持された基端リンク２１０２と、前面フレーム１０２０の上端部に上下方向回転可能に取り付けられた先端リンク２１０４とを有し、基端リンク２１０２の先端部と先端リンク２１０４の基端部とは回転可能に連結されている。これによって、折曲リンク２１００は、中央部が上下方向折曲可能になっている。
【００５２】
後面フレーム１０３０にはブラケット２１６０が設けられ、ブラケット２１６０には上下方向に延びる長孔２１８０が形成されている。基端リンク２１０２は、その基端部がピン２１９０によって長孔２１８０に係合し、長孔２１８０によって案内されて上下方向摺動可能になっている。
【００５３】
上リンク２１２０は、基端部が、後面フレーム１０３０の下端部に上下方向回転可能に取り付けられ、先端部が、先端リンク２１０４とともに、前面フレーム１０２０の上端部に上下方向回転可能に取り付けられている。
【００５４】
下リンク２１４０は、基端部が、基端リンク２１０２とともに、ピン２１９０によって長孔２１８０に係合し、先端部が、前面フレーム１０２０の下端部に上下方向回転可能に取り付けられている。
【００５５】
前面フレーム１０２０と後面フレーム１０３０とを、その左右側面で、折曲リンク２１００、上リンク２１２０、下リンク２１４０によって連結したことによって、前面フレーム１０２０は、後面フレーム１０３０と略平行状態を保ったまま前後移動し、後面フレーム１０３０に円滑に収縮する。これによって収納動作が円滑となる。
【００５６】
実施例４では、展開保持手段２０００として、前面フレームを収縮させるように付勢する引張コイルバネ（付勢手段）２２００が設けられ、これによって角筒状フレーム１０００の展開状態が保持される。
【００５７】
一方、折畳保持手段２０００として伸張状態の上フレーム１０２５、下フレーム１０２６を貫通するピン３０４０が設けられ、前面フレーム１０２０の伸張状態を保持することによって、折畳状態を保持する。
【００５８】
実施例２と同様に、後面フレーム１０３０は上方に延長されて、掲示板６００が設けられており、その安定支持のため、後面フレーム１０３０の周囲は補強フレーム６０６０によって補強されいる。
【００５９】
実施例４においては、蓋４０００として、巻取装置４０７０から引き出し可能なシート状ネット４０７２を使用している。これによって、蓋４０００の収納容量もコンパクトである。
【００６０】
以上のとおり、実施例４は、実施例１と同様の効果を奏する。
【実施例５】
【００６１】
次に本発明に係るゴミ収納装置の実施例５を図面に基づいて説明する。実施例５は、実施例１と同様に、ゴミ収納装置を前後方向伸縮可能として、容積を収縮する。図中、実施例１〜４と同一もしくは相当部分には同一符号を付し、説明を省略する。
【００６２】
図２３は、本発明に係るゴミ収納装置の実施例５を示す正面図、図２４は、図２３のゴミ収納装置の平面図、図２５は、図２３のゴミ収納装置の右側面図、図２６は、図２３のゴミ収納装置の蓋を閉じた状態を示す正面図、図２７は、図２６のゴミ収納装置の右側面図、図２８は、図２３のゴミ収納装置を畳んだ状態を示す右側面図である。
【００６３】
図２３〜図２８において、実施例５における前記角筒状フレーム１０００は、前面フレーム１０２０および後面フレーム１０３０を有し、前面フレーム１０２０は伸縮しない構成である。前面フレーム１０２０と後面フレーム１０３０とは、その左右側面の上下端部が、実施例４の折曲リンク２１００と同様の、上折曲リンク２１５０、下折曲リンク２１５２によってそれぞれ連結されている。これによって、前面フレーム１０２０は、後面フレーム１０３０と略平行状態を保ったまま前後移動し、後面フレーム１０３０に円滑に収縮する。これによって収納動作が円滑となる。なお前後伸縮を円滑化するため、筒状フレーム１０００の底面にはキャスタ１０７４が設けられている。
【００６４】
上折曲リンク２１５０は、基端部が、後面フレーム１０３０の上端部に上下方向回転可能に取り付けられ、先端部が、前面フレーム１０２０の上端部に上下方向回転可能に取り付けられ、中央部が、下方向折曲可能である。これによって、上折曲リンク２１５０は折り畳み時に上方に突出することがなく、コンパクトな収納が可能である。
【００６５】
下折曲リンク２１５２は、基端部が、後面フレーム１０３０の下端部に上下方向回転可能に取り付けられ、先端部が、前面フレーム１０２０の下端部に上下方向回転可能に取り付けられ、中央部が、上方向折曲可能である。これによって、下折曲リンク２１５２は折り畳み時に下方に突出することがなく、コンパクトな収納が可能である。
【００６６】
前面フレーム１０２０は内フレーム１１２０の両端に外フレーム１１２２、１１２２を、それぞれ、左右方向抜き差し可能に挿入した構成とされ、左右方向伸縮可能である。一方、後面フレーム１０３０は内フレーム１１３０の両端に外フレーム１１３２、１１３２を、それぞれ、左右方向抜き差し可能に挿入した構成とされ、左右方向伸縮可能である。これによって、筒状フレーム１０００は、収納時の左右サイズをコンパクト化し得る。
【００６７】
実施例５では、展開保持手段２０００として、上折曲リンク２１５０、下折曲リンク２１５２を伸張させるように付勢するねじりコイルバネ（付勢手段）２０５０が設けられ、これによって角筒状フレーム１０００の展開状態が保持される。
【００６８】
一方、折畳保持手段２０００として、後面フレーム１０３０には、前面フレーム１０２０のピン３０６０に係合するフック３０６２が設けられ、折畳状態を保持し得る。
【００６９】
実施例５の蓋４０００は、実施例４と同様、巻取装置４０７０からシート状ネット４０７２を引き出す構成である。蓋４０００は、内フレーム１１２０、１１３０に対応した蓋中央部４０１０と、内フレーム１１２０、１１３０に対応した、着脱可能な蓋両端部４０１２、４０１２とよりなる。すなわち、収納時に蓋両端部４０１２、４０１２を取り外せば、その収納サイズをコンパクト化し得る。
【００７０】
以上のとおり、実施例５は、実施例１と同様の効果を奏する。
【実施例６】
【００７１】
次に本発明に係るゴミ収納装置の実施例６を図面に基づいて説明する。実施例６は、１本の設置ポールによって支持された３本のロッドによって角筒状フレームを形成するものである。
【００７２】
図２９は、本発明に係るゴミ収納装置の実施例６を示す斜視図、図３０は、図２９のゴミ収納装置の平面図、図３１は、図２９のゴミ収納装置を畳んだ状態を示す斜視図、図３２は、図２９の第１ロッドの支持状態を示す部分破断拡大図、図３３は、図３２のIII III−III III矢視線に沿う断面図である。図中、実施例１〜５と同一もしくは相当部分には同一符号を付し、説明を省略する。
【００７３】
図２９〜図３１において、実施例６における角筒状フレーム１０００は、設置面Ｇに設置されて略上下に延びる設置ポール１２００と、設置ポール１２００の側面に上下方向回転可能に取り付けられた第１ロッド１２２０、第２ロッド１２４０、第３ロッド１２６０および縦支持ロッド１２８０によって、ネット７０００を張ることによって形成される。
【００７４】
設置ポール１２００は、底部に比較的重い円盤状の設置プレート１２０２が設けられ、これによって設置ポール１２００は、安定に自立し得る。
【００７５】
第１ロッド１２２０は、設置ポール１２００の側面に、斜上方に伸びる角度（下限状態という。）から上方に回転し得るように、取り付けられている。設置ポール１２００には、第１ロッド１２２０の下限状態で、第１ロッド１２２０を支持するホルダ１２２２が設けられ、これによって第１ロッド１２２０は下限状態より下方には回転しない。
【００７６】
ホルダ１２２２には、ラチェット１２２４が設けられ、下限状態の第１ロッド１２２０上面に弾性的に当接して、第１ロッド１２２０の上方への回転を阻止する。第１ロッド１２２０を上方に回転すると、設置ポール１２００に沿った状態（上限状態という。）まで回転可能であり、上限状態では、ラチェット１２２４が第１ロッド１２２０側面に形成された凹部１２２６に当接して、第１ロッド１２２０を上限状態に保持する。
【００７７】
第２ロッド１２４０は、設置ポール１２００の周囲で、第１ロッド１２２０に対して略９０度回転した位置で、斜上方に伸びる角度（下限状態という。）から上方に回転し得るように、取り付けられている。設置ポール１２００には、第２ロッド１２４０の下限状態で、第２ロッド１２４０を支持するホルダ１２４２が設けられ、これによって第２ロッド１２４０は下限状態より下方には回転しない。
【００７８】
ホルダ１２４２には、ラチェット１２４４が設けられ、下限状態の第２ロッド１２４０上面に弾性的に当接して、第２ロッド１２４０の上方への回転を阻止する。第２ロッド１２４０を上方に回転すると、設置ポール１２００に沿った状態（上限状態という。）まで回転可能であり、上限状態では、ラチェット１２４４が第２ロッド１２４０側面に形成された凹部（図示省略）に当接して、第２ロッド１２４０を上限状態に保持する。
【００７９】
第３ロッド１２６０は、設置ポール１２００周囲で、第１ロッド１２２０、第２ロッド１２４０の中間の位置で、水平に伸びる角度から上方に回転し得るように、基端部が、設置ポール１２００の下端部側面に取り付けられている。設置ポール１２００には、第３ロッド１２６０の水平状態で、第３ロッド１２６０を支持するホルダ１２６２が設けられ、これによって第３ロッド１２６０は下限状態より下方には回転しない。
【００８０】
ホルダ１２６２には、ラチェット１２６４が設けられ、水平状態の第３ロッド１２６０上面に弾性的に当接して、第３ロッド１２６０の上方への回転を阻止する。第３ロッド１２６０を上方に回転すると、設置ポール１２００に沿った状態（上限状態という。）まで回転可能であり、上限状態では、ラチェット１２６４が第３ロッド１２６０側面に形成された凹部（図示省略）に当接して、第３ロッド１２６０を上限状態に保持する。
【００８１】
縦支持ロッド１２８０は、第３ロッド１２６０の先端部に、水平状態の第３ロッド１２６０の先端部から上方に延びる角度（縦支持状態という。）から、設置ロッド１２００方向に向かう角度まで、回転可能に取り付けられている。
【００８２】
第３ロッド１２６０の先端部には、縦支持ロッド１２８０の縦支持状態で、縦支持ロッド１２８０を支持するホルダ１２８２が設けられ、これによって縦支持ロッド１２８０は縦支持状態が維持される。
【００８３】
ホルダ１２８２には、ラチェット１２８４が設けられ、縦支持状態の縦支持ロッド１２８０の設置ポール１２００側の側面に弾性的に当接して、縦支持ロッド１２８０の設置ポール１２００方向への回転を阻止する。
【００８４】
第３ロッド１２６０を設置ポール１２００方向に回転すると、第３ロッド１２６０に沿った状態（折畳状態という。）まで回転可能であり、折畳状態では、ラチェット１２８４が縦支持ロッド１２８０側面に形成された凹部（図示省略）に当接して、縦支持ロッド１２８０を折畳状態に保持する。
【００８５】
ラチェット１２２４、１２４４、１２６４、１２８４は同様に構成されているので、  ラチェット１２２４のみを代表的に説明する。
【００８６】
ラチェット１２２４は、ホルダ１２２２外面に取り付けられたシリンダ１２６８と、シリンダ１２２２内に収納された圧縮コイルバネ１２６６と、圧縮コイルバネ１２６６によってホルダ１２２２内側に弾性的に押されるプッシャ１２４６とを有する。プッシャ１２４６は、第１ロッド１２２０の凹部１２２６あるいは上面に当接し、第１ロッド１２２０を下限状態あるいは上限状態に保持する。プッシャ１２４６のシリンダ１２６８内部にはフランジ１２７０が形成され、ホルダ１２２２内部方向への脱落が防止されている。またプッシャ１２４６のホルダ１２２２内の先端部は球面状とされ、第１ロッド１２２０の回転時に、プッシャ１２４６が円滑に進退する。
【００８７】
図２９、図３０に示すように、設置ポール１２００、第１ロッド１２２０、第２ロッド１２４０および縦支持ロッド１２８０の先端部によってネット７０００のに水平方向の張力を与え、かつ、ネットの自重でネット７０００が垂下することによって、角筒状フレーム１０００の側面は形成される。
【００８８】
ラチェット１２２４、１２４４、１２６４、１２８４は展開保持手段２０００および折畳保持手段３０００として機能する。
【００８９】
角筒状フレーム１０００の上端開口には別体の蓋４０００が被せられる。
【００９０】
以上のとおり、実施例６は、実施例１と同様の効果を奏する。
【実施例７】
【００９１】
次に本発明に係るゴミ収納装置の実施例７を図面に基づいて説明する。実施例７は、下フレームと上フレームとを弾性部材によって支持し、下フレームに対して、上フレームを回転させつつ下方に押しつけて折畳状態を実現するものである。
【００９２】
図３４は、本発明に係るゴミ収納装置の実施例７を示す斜視図、図３５は、図３４のゴミ収納装置を畳んだ状態を示す斜視図である。図中、実施例１〜６と同一もしくは相当部分には同一符号を付し、説明を省略する。
【００９３】
図３４、図３５において、実施例７の角筒状フレーム１０００は、上端開口１０１０沿う上フレーム１３００と、角筒状フレーム１０００の下端外周に沿う下フレーム１３２０とを有する。上フレーム１３００前側の右角部１３０２には弾性部材１３４０の一端部が連結され、上フレーム１３００における角部１３０２の対角位置（後面側）の角部１３０４には弾性部材１３６０の一端部が連結されている。弾性部材１３４０は下方に湾曲しつつ、角筒状フレーム１０００前面に沿って延び、前面における角部１３０２の対角位置の角部１３２２で、下フレーム１３２０に連結されている。弾性部材１３６０は下方に湾曲しつつ、角筒状フレーム１０００後面に沿って延び、後面における角部１３０２の対角位置の角部１３２４で、下フレーム１３２０に連結されている。
【００９４】
このように下フレーム１３２０に対して上フレーム１３００を弾性部材１３４０、１３６によって支持することによって、角筒状フレーム１０００が形成される。
【００９５】
上フレーム１３００は弾性支持であるため、下フレーム１３２０に対して回転することが可能であり、矢印Ｒで示す回転（右回転）を与えつつ、下方に押すと、仮想線で示すように、角筒状フレーム１０００をねじることができる。そして、上フレーム１３００を１８０度回転すると、上フレーム１３００は下フレーム１３２０に密着して重なるようになる。このとき、弾性部材１３４０、１３６０は大きく湾曲され、フレーム１３００、１３２０のスペースに収まる。
【００９６】
実施例７では、弾性部材１３４０、１３６０は展開保持手段２０００として機能する。
【００９７】
なお、折畳保持手段３０００としては、上フレーム１３００、下フレーム１３２０を未着状態で相互に連結するフック１３７０等を採用し得る。
【００９８】
以上のとおり、実施例７は、実施例１と同様の効果を奏する。
【実施例８】
【００９９】
次に本発明に係るゴミ収納装置の実施例８を図面に基づいて説明する。実施例８は、パンタグラフによって角筒状フレームを形成するものである。
【０１００】
図３６は、本発明に係るゴミ収納装置の実施例８を示す斜視図、図３７は、図３６のゴミ収納装置の角筒状フレームを示す正面図、図３８は、図３７の角筒状フレームの右側面図、図３９は、図３８における３０Ａ部を示す部分破断断面図、図４０は、図３８における３０Ｂ部を示す部分破断断面図、図４１は、図３８における３０Ｃ部を示す部分破断断面図、図４２は、図３７の角筒状フレームを畳んだ状態を示す右側面図である。図中、実施例１〜７と同一もしくは相当部分には同一符号を付し、説明を省略する。
【０１０１】
図３６〜図４２において、実施例８における角筒状フレーム１０００は、右側面フレーム１０４０を右パンタグラフ１４００によって形成され、左側面フレーム１０５０を左パンタグラフ１４２０によって形成されており、右パンタグラフ１４００と左パンタグラフ１４２０とは、複数の水平ロッド１４４０によって連結されている。
【０１０２】
右パンタグラフ１４００および左パンタグラフ１４２０は上下方向伸縮可能であり、その中央部で、引張コイルバネ１４６０によって伸張方向に付勢されている。これによって、角筒状フレーム１０００は自動的に展開状態となる。すなわち、引張コイルバネ１４６０は展開保持手段２０００として機能する。
【０１０３】
一方、角筒状フレーム１０００を下方に圧縮すると、図４２に示すように、右パンタグラフ１４００および左パンタグラフ１４２０はパンタグラフのリンク幅の２倍程度に収縮でき、極めてコンパクトな折畳状態となる。
【０１０４】
実施例８において、右パンタグラフ１４００および左パンタグラフ１４２０が折り畳まれた状態で、上下の水平ロッドを挟むフック１４７０を折畳保持手段３０００として採用し得る。
【産業上の利用可能性】
【０１０５】
本発明は、コンパクト収納を必要とする任意の収納装置に適用し得ることはいうまでもない。
【図面の簡単な説明】
【０１０６】
【図１】本発明に係るゴミ収納装置の実施例１を示す正面図である。（実施例１）
【図２】図１のゴミ収納装置の斜視図である。（実施例１）
【図３】図１のゴミ収納装置の蓋を閉じた状態を示す正面図である。（実施例１）
【図４】図３のゴミ収納装置の右側面図である。（実施例１）
【図５】図１のゴミ収納装置を畳んだ状態を示す側面図である。（実施例１）
【図６】図３のゴミ収納装置の左側面図である。（実施例１）
【図７】本発明に係るゴミ収納装置の実施例２を示す正面図である。（実施例２）
【図８】図７のゴミ収納装置の右側面図である。（実施例２）
【図９】図７のゴミ収納装置の蓋を開いた状態を示す正面図である。（実施例２）
【図１０】図９のゴミ収納装置の右側面図である。（実施例２）
【図１１】図７のゴミ収納装置を畳んだ状態を示す正面図である。（実施例２）
【図１２】図１１のゴミ収納装置の右側面図である。（実施例２）
【図１３】本発明に係るゴミ収納装置の実施例３を示す正面図である。（実施例３）
【図１４】図１３のゴミ収納装置の平面図である。（実施例３）
【図１５】図１３のゴミ収納装置の右側面図である。（実施例３）
【図１６】図１３のゴミ収納装置のを畳んだ状態を示す正面図である。（実施例３）
【図１７】図１６の畳んだ状態を示す平面図である。（実施例３）
【図１８】図１３のゴミ収納装置における底面パネルの連結状態を示す斜視図である。（実施例３）
【図１９】本発明に係るゴミ収納装置の実施例４を示す正面図である。（実施例４）
【図２０】図１９のゴミ収納装置の平面図である。（実施例４）
【図２１】図１９のゴミ収納装置の右側面図である。（実施例４）
【図２２】図１９のゴミ収納装置を畳んだ状態を示す右側面図である。（実施例４）
【図２３】本発明に係るゴミ収納装置の実施例５を示す正面図である。（実施例５）
【図２４】図２３のゴミ収納装置の平面図である。（実施例５）
【図２５】図２３のゴミ収納装置の右側面図である。（実施例５）
【図２６】図２３のゴミ収納装置の蓋を閉じた状態を示す正面図である。（実施例５）
【図２７】図２６のゴミ収納装置の右側面図である。（実施例５）
【図２８】図２３のゴミ収納装置を畳んだ状態を示す右側面図である。（実施例５）
【図２９】本発明に係るゴミ収納装置の実施例６を示す斜視図である。（実施例６）
【図３０】図２９のゴミ収納装置の平面図である。（実施例６）
【図３１】図２９のゴミ収納装置を畳んだ状態を示す斜視図である。（実施例６）
【図３２】図２９の第１ロッドの支持状態を示す部分破断拡大図である。（実施例６）
【図３３】図３２のIII III−III III矢視線に沿う断面図である。（実施例６）
【図３４】本発明に係るゴミ収納装置の実施例７を示す斜視図である。（実施例７）
【図３５】図３４のゴミ収納装置を畳んだ状態を示す斜視図である。（実施例７）
【図３６】本発明に係るゴミ収納装置の実施例８を示す斜視図である。（実施例８）
【図３７】図３６のゴミ収納装置の角筒状フレームを示す正面図である。（実施例８）
【図３８】図３７の角筒状フレームの右側面図である。（実施例８）
【図３９】図３７におけるＡ部を示す部分破断断面図である。（実施例８）
【図４０】図３７におけるＢ部を示す部分破断断面図である。（実施例８）
【図４１】図３７におけるＣ部を示す部分破断断面図である。（実施例８）
【図４２】図３７の角筒状フレームを畳んだ状態を示す右側面図である。（実施例８）
【符号の説明】
【０１０７】
Ｇ  設置面
Ｒ  回転方向
Ｄ  押下方向
１０００  角筒状フレーム
１０１０  開口
１０２０  前面フレーム
１０２２  前面フレームの右端
１０２４  前面フレームの左端
１０２５  上フレーム
１０２６  下フレーム
１０２７  溝
１０２８  ピン
１０３０  後面フレーム
１０３２  後面フレームの右端
１０３４  後面フレームの左端
１０４０  右側面フレーム
１０４２  右枢軸
１０４４  外面
１０５０  左側面フレーム
１０５２  左枢軸
１０５４  外面
１０６０  下回転リンク
１０６２  下回転リンクの基端部
１０６４  下回転リンクの先端部
１０７０  底面パネル
１０７２  スライドプレート
１０７４  転動手段
１０７６  係止ピン
１０７８  Ｔ字状溝
１１２０、１１３０  内フレーム
１１２２、１１３２  外フレーム
１２００  設置ポール
１２０２  設置プレート
１２２０  第１ロッド
１２２２、１２４２、１２６２、１２８２  ホルダ
１２２４、１２４４、１２６４、１２８４  ラチェット
１２２６  凹部
１２４６  プッシャ
１２６６  バネ
１２６８  シリンダ
１２４０  第２ロッド
１２６０  第３ロッド
１２８０  縦支持ロッド
１３００  上フレーム
１３０２、１３０４、１３２２、１３２４  角部
１３２０  下フレーム
１３４０、１３６０  弾性部材
１３７０  フック
１４００  右パンタグラフ
１４１０  ピン
１４２０  左パンタグラフ
１４４０  水平ロッド
１４６０  引張コイルバネ
１４７０  フック
２０００  展開保持手段
２０２０  右付勢手段
２０４０  左付勢手段
２０５０  付勢手段
２０６０  上回転リンク
２０６２  上回転リンクの基端部
２０６４  上回転リンクの先端部
２０６６  上回転リンクの固定手段
２１００  折曲リンク
２１０２  基端リンク
２１０４  先端リンク
２１２０  上リンク
２１４０  下リンク
２１５０  上折曲リンク
２１５２  下折曲リンク
２１６０  ブラケット
２１８０  長孔
２１９０  ピン
２２００  付勢手段
３０００  折畳保持手段
３０２０  付勢手段
３０４０  ピン
３０６０  ピン
３０６２  フック
４０００  蓋
４０１０  蓋中央部
４０１２  蓋両端部
４０２０  蓋基部
４０４０  蓋先端部
４０４４  指掛孔
４０５０  右蓋
４０５２、４０６２  ハンドル
４０６０  左蓋
４０７０  巻取装置
４０７２  シート状ネット
５０００  固定手段
５０２０  ストッパ（固定手段）
６０００  掲示板
６０２０  底面基板
６０４０  筋交
６０６０  補強フレーム
７０００  ネット
【図１】
2009113883.tif 000003
【図２】
2009113883.tif 000004
【図３】
2009113883.tif 000005
【図４】
2009113883.tif 000006
【図５】
2009113883.tif 000007
【図６】
2009113883.tif 000008
【図７】
2009113883.tif 000009
【図８】
2009113883.tif 000010
【図９】
2009113883.tif 000011
【図１０】
2009113883.tif 000012
【図１１】
2009113883.tif 000013
【図１２】
2009113883.tif 000014
【図１３】
2009113883.tif 000015
【図１４】
2009113883.tif 000016
【図１５】
2009113883.tif 000017
【図１６】
2009113883.tif 000018
【図１７】
2009113883.tif 000019
【図１８】
2009113883.tif 000020
【図１９】
2009113883.tif 000021
【図２０】
2009113883.tif 000022
【図２１】
2009113883.tif 000023
【図２２】
2009113883.tif 000024
【図２３】
2009113883.tif 000025
【図２４】
2009113883.tif 000026
【図２５】
2009113883.tif 000027
【図２６】
2009113883.tif 000028
【図２７】
2009113883.tif 000029
【図２８】
2009113883.tif 000030
【図２９】
2009113883.tif 000031
【図３０】
2009113883.tif 000032
【図３１】
2009113883.tif 000033
【図３２】
2009113883.tif 000034
【図３３】
2009113883.tif 000035
【図３４】
2009113883.tif 000036
【図３５】
2009113883.tif 000037
【図３６】
2009113883.tif 000038
【図３７】
2009113883.tif 000039
【図３８】
2009113883.tif 000040
【図３９】
2009113883.tif 000041
【図４０】
2009113883.tif 000042
【図４１】
2009113883.tif 000043
【図４２】
2009113883.tif 000044